(57)【要約】本発明は、水流（Ｆ）中芳香族製品（Ａ）の拡散装置（１００）に関するものであり、前記水流の水路（１０ｃ）により互いに接続されている水流の入口（１０ａ）と出口（１０ｂ）を備え、前記本体（１０）は、それぞれ前記水流の分配装置の出口とシャワー導管の入口の間にある前記入口（１０ａ）と前記出口（１０ｂ）に応じて水回路上に搭載されるもので、前記分配装置からシャワー導管への前記水路（１０ｃ）を通って前記水流の循環を可能し、その中で前記本体（１０）には水路（１０ｃ）内に前記拡散対象芳香族製品の拡散器本体（２００）を収納し配置するよう構成された収納ハウジング（１１）が備わっており、前記拡散器本体（２００）は、少なくとも部分的には前記水路（１０ｃ）を塞ぐことから、開位置では前記分配装置の出口から流れ出た前記水流（Ｆ）は前記水路（１０ｃ）内を通過する際に前記拡散器本体（２０）を通り抜け、それにより前記芳香族製品（Ａ）は水流（Ｆ）中に拡散し、したがって香水（ＦＡ）が流れる前記シャワー導管内に到達できるようになる。【選択図】図１
2021519877.tif 000002
【特許請求の範囲】
【請求項１】
水流（Ｆ）中での芳香族製品（Ａ）の拡散装置（１００）用の拡散器本体（２００）で、前記拡散装置（１００）は前記水流の分配装置の出口とシャワー導管の入口の間で水回路上に搭載され、前記分配装置からシャワー導管への前記水流（Ｆ）の循環が可能となること、
互いに嵌合し、水流（Ｆ）内で拡散する芳香族製品（Ａ）を収納する容器（２０３）を形成するよう互いに寸法を調整した第１中空管（２０１）と第２中空管（２０２）を備えた前記拡散器本体（２００）、
その中では前記第１中空管（２０１）と第２中空管（２０２）が２つの位置（Ｐ１，Ｐ２）となるよう協働するのに適しており、そのうち前記第１閉位置（Ｐ１）では容器（２０３）が密閉しており芳香族製品（Ａ）の水流（Ｆ）とのいかなる接触も回避され、前記第２開位置（Ｐ２）では前記容器（２０３）が開いており、その容器（２０３）を通る水流（Ｆ）の循環が可能となり、芳香族製品（Ａ）と接触すること。
【請求項２】
第１チューブ（２０１）は上蓋（２０１ａ）を備え、第２チューブ（２０２）は底部（２０２ｂ）を備えている、又はその逆である、請求項１に記載の拡散器本体（２００）。
【請求項３】
前記第１チューブ（２０１）及び第２チューブ（２０２）が、底部方向（２０２ａ）に向かって上蓋（２０１ａ）に圧力を加えるかその逆となることで閉位置（Ｐ１）から開位置（Ｐ２）への移行が始動するように互いに構成されている、請求項２に記載の拡散器本体（２００）。
【請求項４】
チューブ（２０１，２０２）を閉位置（Ｐ１）及び/又は開位置（Ｐ２）での所定位置に維持するように構成された位置維持手段（２１０）を含む、前記請求項のいずれか一項に記載の拡散器本体（２００）。
【請求項５】
チューブ（２０１，２０２）の位置維持手段（２１０）に以下が備わっている、請求項４に記載の拡散器本体（２００）:
-                     少なくとも部分的にはチューブ（２０１，２０２）いずれか１つの上部の周縁部に広がる溝（２１１）、及び
-                     少なくとも部分的には他方のチューブ（２０２，２０１）の上部の周縁部に広がるビード（２１２）。
前記溝（２１１）の寸法は前記ビード（２１２）を収納できるよう調整されており、前記溝（２１１）内での前記ビード（２１２）の収納により容器（２０３）の気密性が保証される。
【請求項６】
前記チューブ（２０１，２０２）が少なくとも部分的に変形可能な弾性材料で形成されているため、上蓋（２０１ａ）に加えられる圧力が管（２０１，２０２）の変形を引き起こし前記溝（２１１）のビード（２１２）が外れ、容器（２０３）の閉位置（Ｐ１）から開位置（Ｐ２）への移行が可能となる、請求項３に添付の請求項５又は４に記載の拡散器本体（２００）。
【請求項７】
前記第１チューブ（２０１）及び第２チューブ（２０２）が、それらの周壁（２０１ｂ，２０２ｂ）上にそれぞれ複数の貫通窓（２０４，２０５）を備えている、前記請求項のいずれか一項に記載の拡散器本体（２００）。
【請求項８】
第１チューブ（２０１）及び第２チューブ（２０２）のそれぞれの貫通窓（２０４，２０５）が以下のとおりになるよう互いに配置されている、請求項７に記載の拡散器本体（２００）。
-                     閉位置（Ｐ１）では、貫通窓（２０４，２０５）が互いにずれており、容器（２０３）の内部で水流（Ｆ）の通過を妨げる、及び
-                     開位置（Ｐ２）では、貫通窓（２０４，２０５）が互いに向かい合っており、容器（２０３）の内部への水流（Ｆ）の通過が可能となる。
【請求項９】
容器（２０３）の内部に配置される拡散対象の芳香族製品（Ａ）が芳香族塩を含有する、前記請求項のいずれか一項に記載の拡散器本体（２００）。
【請求項１０】
容器（２０３）の内部に配置される拡散対象の芳香族製品（Ａ）が、前記拡散対象芳香族製品（Ａ）で浸されたフェルトを含む、前記請求項のいずれか一項に記載の拡散器本体（２００）。
【請求項１１】
容器（２０３）の内部に配置される拡散対象の芳香族製品（Ａ）が、拡散対象の前記芳香族製品（Ａ）に浸されたスポンジを含む、前記請求項のいずれか一項に記載の拡散器本体（２００）。
【請求項１２】
容器（２０３）の内部に配置された拡散対象の芳香族製品（Ａ）が、拡散対象の前記芳香族製品（Ａ）を含有する多孔質石を含む、前記請求項のいずれか一項に記載の拡散器本体（２００）。
【請求項１３】
水流（Ｆ）中での芳香族製品（Ａ）の拡散装置（１００）で、
前記装置（１００）には、前記水流の水路（１０ｃ）により互いに接続された水流の入口（１０ａ）及び出口（１０ｂ）を備えた本体（１０）が含まれ、前記本体（１０）は、前記水路（１０ｃ）を通る前記分配装置からシャワー導管への前記水流の循環を可能にするため、前記水流の分配装置の出口とシャワー導管の入口の間でそれぞれ前記入口（１０ａ）及び前記出口（１０ｂ）に応じて水回路に取り付けられるようになっており、
その中で、前記本体（１０）には、拡散対象の前記芳香族製品（Ａ）を収納する容器（２０３）を備えた着脱式の拡散器本体（２００）を水路（１０ｃ）内に収納し配置するように構成された収納ハウジング（１１）が含まれ、前記拡散器本体（２００）は、前記水路（１０ｃ）を少なくとも部分的に塞ぎ、容器（２０３）が密閉され芳香族製品（Ａ）の水流（Ｆ）とのあらゆる接触が回避される前記第１閉位置（Ｐ１）と、前記容器（２０３）が開き前記分配装置の出口から流れ出る前記水流（Ｆ）が前記水路（１０ｃ）内を通過する際に前記容器（２０３）を通り抜けるため、前記芳香族製品（Ａ）が水流（Ｆ）内に拡散し、そのため香水（ＦＡ）が流れる前記シャワー導管内に到達できるようになる前記第２開位置（Ｐ２）を含む２つの位置（Ｐ1，Ｐ２）を有するのに適している。
【請求項１４】
収納ハウジング（１１）はほぼ円筒形であり、装置（１００）には収納ハウジングの周壁（１１ａ）にぴったり合うように適合させた円環状の浄化フィルター（２０）が含まれ、その中央部（２０ｄ）の寸法が拡散器本体（２００）を収納するよう調整されている、請求項１３に記載の装置（１００）。
【請求項１５】
浄化フィルター（２０）が内周壁（２０ａ）及び外周壁（２０ｂ）を備え、前記の内壁（２０ａ）及び外壁（２０ｂ）によりそれらの間にあるボリューム（２０ｃ）が定められ、その中に剛球が配置される、請求項１４に記載の装置（１００）。
【請求項１６】
剛球が少なくとも部分的にはセラミックで形成されている、請求項１５に記載の装置（１００）。
【請求項１７】
浄化フィルター（２０）の内周壁（２０ａ）には、前記フィルター（２０）を通る前記水流（Ｆ）の循環を可能にするためその間に配置されている複数の貫通孔（２２）が備わっている、請求項１５又は１６に記載の装置（１００）。
【請求項１８】
貫通孔（２２）の形状はそれぞれ三角形であり、互いに絡み合っている、請求項１７に記載の装置（１００）。
【請求項１９】
貫通孔（２２）がほぼ長方形であり少し傾いているため、フィルター（２０）を通る水流（Ｆ）の通過時に水の乳濁化が促進されている、請求項１７に記載の装置（１００）。
【請求項２０】
貫通孔（２２）が前後２列に配置されている、請求項１８又は１９に記載の装置（１００）。
【請求項２１】
収納ハウジング（１１）を被覆し、前記拡散器本体（２００）が前記ハウジング（１１）内に挿入された場合に収納ハウジング（１１）を密閉するのに適している、着脱式であり密封された保護カバー（３０）を含む、請求項１３〜２０のいずれか一項に記載の装置（１００）。
【請求項２２】
保護カバー（３０）には、その前面に目に見えるようにするほぼ平坦な上部（３０ａ）が備わっており、前記拡散器本体（２０）に付属の芳香族製品（Ａ）に関する情報を表示するためのマーキング領域を備えた、請求項２１に記載の装置。
【請求項２３】
前記本体（１０）の入口（１０ａ）及び出口（１０ｂ）には、それぞれ前記水流分配装置の出口及び前記シャワー導管の入口と協働するのに適しており、本体（１０）を前記分配装置及び前記シャワー導管と一体的に組み立てることができる、請求項１３〜２２のいずれか一項に記載の装置（１００）。
【請求項２４】
第１組立手段（１２）と第２組立手段（１３）が前記本体（１０）を前記分配装置及び前記シャワー導管とねじ留めにより組み立てるよう構成されている、請求項２３に記載の装置（１００）。
【請求項２５】
前記本体（１０）の入口と分配装置の出口の間及び前記本体（１０）の出口と前記シャワー導管の入口の間にそれぞれシール継手が備わっている、請求項２３又は２４に記載の装置（１００）。
【請求項２６】
以下を含む一式：
-                     請求項１３〜２５のいずれか一項に記載の拡散装置（１００）、及び
-                     水流（Ｆ）内に拡散させる芳香族製品（Ａ）を伴う請求項１〜１２のいずれか一項に記載の拡散器本体（２００）少なくとも１つ。
【発明の詳細な説明】
【技術分野】
【０００１】
本発明は、アロマセラピー（芳香療法）分野に関するものである。
【０００２】
本発明は、とりわけ、例えばお風呂の水、シャワーの水などの水道水の流れの中に芳香族（アロマ）製品を拡散させる装置に関するものである。
【０００３】
本発明の枠内での用語「シャワー」には、原則として、シャワーヘッド、ハンドシャワー及び/又は身体の水中マッサージ用のノズルを備えたものなどのシャワー類が含まれる。ただし、この「シャワー」という用語には、ハンドシャワー、又は身体の水中マッサージ用のノズルを備えた浴槽、さらに浴室、台所或いは芳香族製品拡散装置を装備できるその他の場所にある他の衛生設備すべても含まれる。
【０００４】
本稿では、アロマセラピーとは、広義的には皮膚又は健康にとって有益な特性を示す製品を水道水の流れの中に拡散させることと解釈することができる。アロマセラピーの原理とは、例えば気道を通じて芳香族分子により効用をもたらす/手入れを行うものである。これは治療するのではなく、例えば香水に含まれているエッセンシャルオイル（精油）の効用を利用して満足感をもたらそうとするものである。
【０００５】
そのため、本発明では、個人とホテル業界（温泉等）双方での温泉療法の分野で好都合な多数の用途を見出すことになる。
【背景技術】
【０００６】
既存の技術水準では、シャワージェル、シャンプー、エッセンシャルオイル又は使い捨てカプセルの形で包装された他種製品などの拡散装置を明らかにした国際公開第２０１１／１０７２２１号が知られている。
【０００７】
この文書の中では、そのようなカプセルの収納を目的とするケースが用意されている。
【０００８】
このケースには、上蓋又はネジで外せない栓が付いており、この上蓋を開けてから、ケース内にカプセルを挿入することができる。このケースには、そのケースを閉じる際にカプセルに穴を開ける手段も備わっている。
【０００９】
次に、ポンプ又は吸引装置が備わっており、カプセル内に格納された製品が排出され、装置内を通過する水流とその製品を混合させることができる。
【００１０】
出願者は、カプセルを適正に配置しケース内に挿入する操作を行うのは比較的複雑である点を認めている。
【００１１】
その一方、この提案装置では、穿孔されることになるカプセルが必要となるが、このカプセルは再充填不可能である。
【００１２】
また、国際公開第２０１４／１７４１９１号の技術水準では、穿孔することになるカプセルの原理を用いながら水流中で拡散させる製品の拡散装置も提案されていることが知られている。
【００１３】
この国際公開第２０１４／１７４１９１号では、より正確には、水流中に拡散させる製品を格納した周縁フランジ付カプセルを前面で収納するための拡散装置を明らかにしている。
【００１４】
フランジ付カプセルは、装置本体により支えられ、フランジを収納するよう構成されたハウジング（筐体）の表面を形成し、前記表面上にカプセルをねじ込む螺旋状部分となるつまみが付いている支持面上に固定されるようになる。
【００１５】
そのような装置により、設置スペースの節減が可能となる。つまり、この装置では、国際公開第２０１１／１０７２２１号にあるようなハウジング（筐体）開口部の上蓋が不要となり、カプセルはハウジング開口部により装置前面に直接挿入され、つまみが一回転するだけで装置を閉じることができる。
【００１６】
本文書では、ハウジング開口部によりカプセルをハウジング内に簡単かつ迅速に挿入できる。
【００１７】
本文書で提案する解決策（ソリューション）とは、主として、カプセル内に格納されている製品が装置を通り抜ける水流と接触するようにするためユーザーが行うべき操作の数が限定されており、簡単に使用できる装置を提供しようとするものである。
【００１８】
ただし、出願者は、カプセル内に封入した製品を水流中に拡散させるという原理が満足なものではないことを認めている。
【００１９】
本文書の中で提案しているカプセル配置でも、時間的に限られたユーザー体験しかもたらされない。
【００２０】
実際、わずか数回シャワーを浴びた後でそのカプセルを新しいカプセルに交換することが必要となる。
【００２１】
さらに、出願者は、製品の水流中での拡散が最適ではないことも観察している。
【００２２】
国際公開第２０１１／１０７２２１号で提案されているものなどの拡散装置の利用は体裁が悪く、例えば粘度率が比較的高い塩分型或いは更にエッセンシャルオイル型芳香族化合物の使用が必要となるアロマセラピーには適さない。
【００２３】
出願者は、先行技術でこれまでに提案された解決策は、ユーザーにとっては不満足であり、アロマセラピーには適合していない点を認めている。
【先行技術文献】
【特許文献】
【００２４】
【特許文献１】国際公開第２０１１／１０７２２１号
【特許文献２】国際公開第２０１４／１７４１９１号
【発明の概要】
【発明が解決しようとする課題】
【００２５】
本発明の目的とは、上記の状況を改善しようとするものである。
【００２６】
本発明の目標の一つとして、同時に以下の点を提案しながら、上記のさまざまな不便を改善することが挙げられる。
-         新しい形状であり、芳香族製品の良好な注入と水流中への良好な拡散を保証する拡散器（ディフューザ）本体、及び
-         使用しやすく、容易に水回路に統合され、ユーザーが装置を取り替える必要なしに数回シャワーを浴びることができるよう十分に長い間芳香族製品を拡散できるそのような拡散器本体を収納するのに適した拡散装置
【課題を解決するための手段】
【００２７】
この目的のため、本発明の対象は、第一の態様に従って、芳香族製品を水流中に拡散する装置の拡散器本体に関するものとなる。
【００２８】
本発明に従って、分配装置からシャワー導管への水流の循環を可能にするため、拡散装置は水流分配装置出口とシャワー導管入口の間にある水回路上に搭載されることとなる。
【００２９】
有利なことに、拡散器本体には、互いに寸法を合わせた第１・第２中空管が備わっており、互いに嵌合して芳香族製品を収納する容器を形成する。
【００３０】
有利なことに、第１・第２チューブは、協働しながら以下のような内訳である２つ以上の位置をもたらすのに適している。 
-         容器が密閉され、芳香族製品の水流とのあらゆる接触が回避される前記第一閉位置、及び 
-         容器が開き、その容器を通る水流の循環が可能となり、芳香族製品と接触するようになる前記第二開位置
【００３１】
このような拡散器本体の設計により、再充填可能なカプセルという形となり水流中への芳香族製品の良好な拡散を可能にする二重機能容器（貯蔵及び拡散）を備えることができるようになる。
【００３２】
他方、そのような拡散器本体により芳香族製品の良好な拡散が確実になり、ユーザー体験が向上する。 
【００３３】
好ましくは、第１チューブには上蓋が付いており、第２チューブには底部が付いている、或いはその逆となっている。
【００３４】
ここでは、上蓋と底部の存在により、容器の閉じた容積（ボリューム）が定められることが理解される。したがって、芳香族製品を収納・貯蔵できるケースを整えることができる。
【００３５】
有利なことに、第１・２チューブは、閉位置から開位置への移行が始動し、底部方向への圧力を上蓋に加える、又はその逆となるよう互いに構成されている。
【００３６】
上蓋の付いたこの形状により、装置を起動させ期待されるアロマセラピー体験を得るためのユーザーの操作が容易になる。収納ハウジング内へのカプセルの配置は、既存のソリューションで発生しているようなカプセルの穿孔を必ずしも引き起こすわけではない。ここでは、カプセルを押すことにより、装置が始動する。
【００３７】
有利なことに、拡散器本体には、チューブの位置を閉位置及び/又は開位置に維持するよう構成された位置維持手段が備わっている。
【００３８】
別の有利な実施形態では、チューブ位置維持手段として、以下のようなものが備わっている。
-         少なくとも部分的に一方のチューブ上部の周辺に広がる溝、及び
-         少なくとも部分的に他方のチューブ上部の周辺に広がるビード（詰め物）
【００３９】
好ましくは、溝の寸法はビードを収納できるよう調整されており、溝内へのビードの収納により容器の気密性が確保される。
【００４０】
有利なことに、これらのチューブは少なくとも部分的には変形可能な弾性材料で構成されているため、上蓋に加わる圧力によりチューブの変形が引き起こされ、前記溝のビードが外れ、閉位置から開位置への移行が可能となる。
【００４１】
ここでは、容器底部に向かって上蓋に圧力を加えることで、チューブの内壁面が変形し、溝のビードが自由になり閉位置から開位置への移行が確実になることが理解される。
【００４２】
有利なことに、第１チューブと第２チューブには、そのそれぞれの周壁上に複数の貫通窓が含まれている。
【００４３】
好ましくは、第１・第２チューブそれぞれの貫通窓は、以下のとおりになるよう互いに配置されている。
-         閉位置では、貫通窓は互いにずれており、容器内部への水流の通過が妨げられる、及び
-         開位置では、貫通窓は互いに向かい合っており、容器内部への水流の通過が可能となる。
【００４４】
ここでは、上蓋に圧力を加えることで、ビードがハウジングから外れ下向きにずれるため、窓が互いに整列し、水路開口部が生み出され容器内への水流の通過が可能となることが理解される。
【００４５】
好ましくは、貫通窓は長方形である。 
【００４６】
好ましくは、容器内部に配置される拡散対象の芳香族製品は、芳香族塩を含有している。
【００４７】
第一の別の代替実施形態では、容器内部に配置される拡散対象の芳香族製品には、拡散対象の芳香族製品で浸したフェルトが含まれている。そのようなフェルトを使用することにより、導管内での水流の通過を抑制することなく長時間持続する良好な拡散能力を実現する。
【００４８】
第二の別の代替実施形態では、容器内部に配置される拡散対象の芳香族製品には、拡散対象の芳香族製品で浸したスポンジが含まれている。 
【００４９】
第三の別の代替実施形態では、容器内部に配置される拡散対象の芳香族製品は、拡散対象の芳香族製品を含有する多孔質の石を備えている。
【００５０】
第四の別の代替実施形態では、容器内部に配置される拡散対象の芳香族製品には、エッセンシャルオイル型の芳香族化合物が含まれている。
【００５１】
これらの異なる実施形態を、必要に応じて互いに組み合わせることができることが理解される。 
【００５２】
本発明の対象は第二の態様に沿って水流中に芳香族製品を拡散する装置に関するものであり、前記の装置には、水路によりその間で接続されている水流の入口と出口を伴う本体が含まれている。
【００５３】
本発明に従って、本体は、分配装置の水路を通ってシャワー導管に向かう水流の循環を可能にするため、それぞれ水流分配装置の出口とシャワー導管の入口の間にあるその入口と出口に応じて水回路上に取り付けられるものとする。
【００５４】
有利なことに、この本体には、拡散させる芳香族製品の拡散器本体を収納し水路内に配置するよう構成された収納ハウジングが備わっている。
【００５５】
ここでは、拡散器本体は着脱式であるため、例えば交換又は再充填することができる。
【００５６】
或いは、拡散装置を、例えばシャワーヘッド等の拡散ノブ内に直接組み込むことができるものと理解される。例えば、本発明に従った装置をシャワーヘッド内に取り付けることができ、ハウジング開口部はシャワーヘッドの拡散ヘッドの反対側に位置している。
【００５７】
好ましくは、拡散器本体を収納ハウジング内に配置し、少なくとも部分的に水路を塞ぐようにする。
ここでは、拡散器本体は、以下のような構成である２つの位置をもたらすのに適している。
-         芳香族製品の水流とのあらゆる接触を回避するため容器がしっかりと閉じている第一閉位置、及び
-         分配装置出口から流れ出た水流がその水路内を通過する際に容器を通り抜けるように容器が開いている第二開位置 
【００５８】
したがって、拡散器本体を通る水流の通過時には、芳香族製品が水流中に拡散し、芳香の付いた水流からなるシャワー導管内に到達できるようになる。
【００５９】
本発明に特徴的であるこうした技術的手段を整備したおかげで、特に水の流路を塞ぐ拡散器本体の存在により、簡単に操作できる拡散装置を利用でき、良好な拡散容量をもたらし耐用期間が長くなるため、ユーザーは、カートリッジの原理を伴う先行技術で発生する装置の交換を行うことなく複数回のシャワーを浴びることができるようになる。
【００６０】
有利なことに、本装置には、その装置を通る水流の通過時における浄化フィルターの機能も備わっている。
【００６１】
特定の実施形態では、収納ハウジングはほぼ円筒形の形状をなしており、ここでは、本装置には, 収納ハウジングの周壁をぴったり合わせるのに適した円環状の浄化フィルターを備えており、その中央部の寸法は拡散器本体を収納できるよう調整されている。
【００６２】
そのため、拡散器本体は、フィルターに取り囲まれている。
【００６３】
有利なことに、浄化フィルターには内部周壁と外部周壁があり、前記の内部・外部仕切壁によりその間の容積が定まり、その中には例えば少なくとも部分的にはセラミックで構成されている剛球等の金属球が配置されている。
【００６４】
好ましくは、浄化フィルターの内部周壁には、その間に配置された複数の貫通孔が含まれており、そのフィルターを通る前記水流の循環を可能にしている。
【００６５】
第一の別の実施形態では、貫通孔はそれぞれ三角形の形状をなしており、互いに絡み合っている。
【００６６】
この絡み合った三角形の構成により、拡散器本体を通る水流の通過時には芳香族製品の良好な拡散が可能となる。
【００６７】
第二の別の実施形態では、貫通孔はほぼ長方形で少し傾いているため、フィルターを通る水流の通過時に水の乳濁化が促進される。
【００６８】
好ましくは、貫通孔は二列に配置され、場合によっては前後方向になっている。
【００６９】
出願者は、前後方向に配置されているそのような貫通孔の形状が本体内で水を乳濁させることができ、これが水流中での芳香族製品の拡散を促進していることを確認した。
【００７０】
有利なことに、本装置には、着脱式の保護カバーと収納ハウジングを覆うシール（封止剤）が備わっており、拡散器本体がハウジング内に挿入された時点で収納ハウジングを密閉するのに適している。
【００７１】
有利なことに、保護カバーは、目に見えるようにするためのほぼ平らな上部が前面にあり、前記拡散器本体に付属の芳香族製品に関する情報を表示するためのマーキング（刻印）領域がある。
【００７２】
或いは、拡散器本体の上蓋を可視化できる透明な上部を備えることができ、その上に芳香族製品に関する情報を表示する。
【００７３】
有利なことに、本体の入口と出口には、それぞれ水流分散装置の出口とシャワー導管の入口との協働に適した第１・第２組立手段がそれぞれ備わっており、本体を分配装置及びシャワー導管と一体的に組み立てることができる。
【００７４】
好ましくは、第１・第２組立手段は、本体を分配装置及びシャワー導管とねじ留めにより組み立てるよう構成される。
【００７５】
好ましくは、本発明に従った装置には、それぞれ本体の入口と分配装置の出口の間及び前記本体の出口とシャワー導管の入口の間にシール継手が備わっている。
【００７６】
最後に、本発明の対象は、第三の態様に従って、以下を含む一式に関するものとなる。
-         上記のもののような拡散装置、及び 
-         水流F内で拡散する芳香族製品Ａを含む上記のものなどの少なくとも１個の拡散器本体
したがって、本発明の目的とは、上記のようなそのさまざまな機能的・構造的態様により、ユーザーが水回路に接続されシャワー導管内で芳香族製品を拡散できる拡散ツールを使用でき、芳香の付いた水道水のシャワーを浴びることができるようにすることである。
【００７７】
本発明のその他の特徴及び利点は、添付の図１〜５Ａ−５Ｂを参照しながら下記の記載より明らかとなるが、その図には限定的な性格を帯びていない実施形態を例示しており、以下のようなものである。
【図面の簡単な説明】
【００７８】
【図１】本発明の実施形態に適合した芳香族製品の拡散装置についての上面略図を表す。
【図２】本発明の実施形態に適合した芳香族製品の拡散装置の透視断面略図を表す。
【図３】本発明の実施形態に適合した浄化フィルターの透視断面略図を表す。
【図４Ａ．４Ｂ】それぞれ、本発明の実施例に従った閉位置での拡散器本体の透視断面略図を表す。
【図５Ａ．５Ｂ】それぞれ、本発明の実施例に従った開位置での拡散器本体の透視断面略図を表す。
【発明を実施するための形態】
【００７９】
ここでは、有利な実施例に従った芳香族製品の拡散装置並びに付属の拡散器本体を記載するが、同時に図１〜５Ａ−５Ｂを参照しながら進めることとする。
【００８０】
前述のとおり、本発明の目的とは、水回路上での設置が簡単で、例えば国際公開第２０１１／１０７２２１号及び国際公開第２０１４／１７４１９１号にあるもののような既存のソリューションにまさしく当てはまる複数回のシャワー終了後におけるカートリッジ装置交換の必要性が生じることなく使用時間が延長され、アロマセラピー型又は類似の体験をユーザーに提供できる拡散装置を設計することである。
【００８１】
これは、下記のような本発明の実施例により、可能となる。
【００８２】
本項に記載する例では、シャワー装置型の水回路上に取り付ける拡散装置１００を使用する。
【００８３】
本項に記載する例では、拡散装置１００は、芳香族製品Ａを水流Ｆ内に効率的かつ長期的に拡散するよう特別に設計されている。
【００８４】
ここでは、芳香族製品Ａには、芳香族塩が含まれている。
【００８５】
ここでは、他の芳香族製品を本発明の枠内で使用できることが理解される。
【００８６】
本例では、装置１００は、特に水流の入口１０ａと出口１０ｂを有する本体１０を備えている。
【００８７】
ユーザーは、取付業者なしでも装置１００を水回路上に自ら取り付けることができる。
【００８８】
本例では、ユーザーは本体１０を回路上に取り付け、本体１０の入口１０ａを水流分配装置の出口（例えば混合器の出口に、本稿には表示せず）に接続し、本体１０の出口１０ｂをシャワー導管の入口（本稿には表示せず）に接続する。
【００８９】
図２に示すとおり、この目的のために、本体１０の入口１０ａと出口１０ｂにそれぞれ配置され、本体１０を分配装置及びシャワー導管と一体的に組み合わせるために分配装置の出口とシャワー導管の入口それぞれと協働するのに適している、第１組立手段１２と第２組立手段１３を備えることができる。
【００９０】
好ましくは、この組立はねじ留めにより行われる。
【００９１】
本例では、第１組立手段１２と第２組立手段１３にはそれぞれタッピング型のらせん部分が備わっており、ねじ留めによる組み立てを行える。
【００９２】
ここでは、ユーザーは、本体１０の入口１０ａと分配装置の出口の間、及び本体１０の出口１０ｂとシャワー導管の入口の間にシール継手（本稿では表示せず）を配置することが好ましい。そのような継手により、装置の気密性が確保される。
【００９３】
そのため、本例では、本体１０はシャワー装置の回路上に一体的に取り付けられる。
【００９４】
或いは、本発明の枠内で設計されたものなどの拡散装置１００を、例えばシャワーヘッド等の拡散ノブ内に直接統合させることもできることが理解される。
【００９５】
本項に記載する実施例において、及び図1に示すとおり、装置１００の入口１０ａと出口１０ｂは、水路１０ｃにより互いに接続されている。ここでは、水路１０ｃにより入口１０ａから出口１０ｂに向かう水流Ｆの通過が可能となることが理解される。
【００９６】
ユーザーが分配装置を作動させると、水回路内の水流Ｆを、水路１０ｃを経て分配装置からシャワー導管まで循環させることが可能となる。
【００９７】
拡散装置１００は本発明に特徴的なものであり、ユーザーにはアロマセラピーの体験を提供しながら、今日まで遭遇している問題点を解決することができる。
【００９８】
本例では、装置１００には、その中心部に形状がほぼ円筒形である収納ハウジング１１を備えた本体１０を搭載している。
【００９９】
そのようなハウジング１１は、水路１０ｃの中心部で浄化フィルター２０並びに拡散器本体２００を収納し配置するように形成されている。
【０１００】
図２及び３に示すとおり、浄化フィルター２０は円環状であり、その形状から「ドーナツ」とも呼ばれている。
【０１０１】
そのため、そのようなフィルター２０は、そのフィルターの周壁１１ａに寄せながら収納ハウジング１１内に配置されるようになる（図２）。
【０１０２】
装置の入口１０ａから出口１０ｂへの水流の流れを確実にするため、開口部２３と２４が設けられる。
【０１０３】
図３に示すとおり、浄化フィルター２０はダブルスキン、つまりここでは、内周壁２０ａと外周壁２０ｂを備え、前記周壁２０ａ−２０ｂによりその間で中空リング形のボリューム（容量）２０ｃが定まり、その中にセラミック製鋼球が配置される。
【０１０４】
これらの鋼球（本稿では表示せず）には、水を浄化する特性が備わっている。
【０１０５】
水路１０ｃを通り循環する水流は必ず浄化フィルター２０を通過するため、装置１００から出た水は濾過される。
【０１０６】
フィルター２０の円環形状により、その中心部２０ｄ内に拡散器本体２００を配置できるようになる（図２）。
【０１０７】
図３に見られるように、フィルター２０の内周壁２０ｂ上には 複数の貫通孔２２が設けられ、フィルター２０と拡散器本体２００の間での伝達が確実になる。
【０１０８】
拡散器本体２００がフィルター２０の中心部２０ｄ内に配置されると、同時に前記フィルター２０と拡散器本体２００を通って水流Ｆを循環させることができる。したがって、水路１０ｃを通過する水流Ｆはフィルター２０の中心部２０ｄ（つまりこの中心部内に配置されている拡散器本体２００）及びフィルター２０のボリューム２０ｃを通り抜ける。したがって、水流はフィルター２０と拡散器本体２００を通過する。
【０１０９】
本項に記載し図３に示す例では、貫通孔２２は、次の２つの列に沿って配置される。つまり、その列はほぼ長方形であり、少し傾いている。
【０１１０】
そのような形状により、良好な流れ、芳香族製品Ａの良好な拡散が保証され、さらに本体１０の出口１０ｂへの水の乳濁化が可能となる。
【０１１１】
したがって、実用的な面では、ユーザーは拡散器本体２００を擁し、これを専用のフィルター２０の中心部２０ｄ内に配置する。
【０１１２】
そのため、拡散器本体２０は、少なくとも部分的に水路１０ｃを塞ぐためユーザーが本体１０内に配置する。
【０１１３】
本項に記載する実施例では、収納ハウジングはほぼ約１８〜２２ｍｍの間に収まる直径と、ほぼ約２３〜２７ｍｍの間に収まる高さを有する。有利なことに、拡散器本体２００とフィルター２０の寸法は、ハウジング１１内に挿入でき、そのハウジングにより定まる容積の全部又は一部を占めるような大きさに調整される。
【０１１４】
拡散器本体２００は、閉位置Ｐ１と開位置Ｐ２という２つの位置をもたらすことができる特別な設計となっている。
【０１１５】
本項に記載し、図４Ａ−４Ｂ及び５Ａ−５Ｂに示す実施例では、閉位置（４Ａ−４Ｂ）と開位置（５Ａ−５Ｂ）を見分けることができる。
【０１１６】
図４Ａ−４Ｂに示す閉位置Ｐ１は、密閉されており芳香族製品の水流とのあらゆる接触を回避する本体２００の形状に相当する。そのような形状により、本体２００の格納が可能となり、容器内に含まれている製品Ａの芳香性の良好な保全が保証される。
【０１１７】
図５Ａ−５Ｂに示す開位置Ｐ２については、これは開いているため本体を通る水流の通過が可能となり、水流中への芳香族製品の注入を行える本体２００の形状に相当する。
【０１１８】
そのような位置Ｐ２は、本体２００が拡散装置１００内に配置されている場合には有利である。
【０１１９】
作動中の構成での装置の良好な機能発揮を保証し、長時間製品Ａの芳香性を維持することが、本発明の目的の一つとなっている。
【０１２０】
そのため、Ｐ１／Ｐ２位置内又はその他の位置内にあるチューブ２０１及び２０２の位置の維持を保証する位置維持手段２１０が設けられている。 
【０１２１】
したがって、本実施例では、拡散器本体２００には第１中空管２０１と第２中空管２０２が備わっており、互いにぴったり嵌合し、ここでは例えば浴用塩など水流Ｆ内で拡散する芳香族製品Ａを収納する容器２０３を形成するよう寸法が互いに調整されている。
【０１２２】
ケースを形成するため、上蓋２０１ａと底部２０２ａも設けられる。 
【０１２３】
本項に記載する実施形態では、ユーザーが底部２０２ａの方向で上蓋２０１ａに圧力を加えると、ケースの壁面に弾性変形を引き起こし、内管を覆う上蓋２０１ａ縁部の内側周縁部の周囲に用意された溝２１１の外管の外側周縁部の周囲に設けられたビード２１２が外れる。
【０１２４】
容器の底部２０２ａの方向で上蓋２０１ａに圧力を加えるだけで、ビード２１２が溝２１１から外れ、閉位置Ｐ１（図４Ａ−４Ｂ）から開位置（図５Ａ−５Ｂ）に移行する。
【０１２５】
ここでは、溝２１１に係合するビード２１２の協働により、容器の気密性が保証される点を指摘することができる。
【０１２６】
本項に記載し図２に示す例の中で、外管はかなり口の広がった形をしており、フィルター２０の上部外周クラウン２０ｅに寄りかかるように上蓋に圧力を加えたときに可能となることに留意されたい。このクラウンにこのように寄りかかることで、ユーザーが閉位置Ｐ１から開位置Ｐ２へと移行するのがより簡単になる。
【０１２７】
本項に記載し図４Ａ−４Ｂと５Ａ−５Ｂに示す例の中で、チューブの周壁２０１ｂと２０２ｂ上に複数の貫通窓２０４及び２０５が設けられている。
【０１２８】
この例では、貫通窓２０４及び２０５は、それぞれ以下となるように互いに配置されている。
- 閉位置Ｐ１では、貫通窓２０４及び２０５は互いにずれており、容器２０３の内部への水流Ｆの通過が妨げられる（図４Ａ−４Ｂ参照）、及び 
- 開位置Ｐ２では、貫通窓２０４及び２０５は互いに向かい合っており水路開口部を形成し、容器２０３の内部への水流Ｆの通過が可能となる（図５Ａ−５Ｂ参照）。
【０１２９】
そのため、上蓋２０１ａに圧力を加えることで、窓２０４と２０５がずれ、互いに整列し水路開口部が形成され、容器を通る水流の循環が可能となる。
【０１３０】
拡散器本体２００が正しく収納ハウジング１１内に配置されたら、ユーザーは保護カバー３０を再び閉じ、収納ハウジング１１を密閉する。
【０１３１】
ここでは、上蓋２０１ａを押して閉位置Ｐ１から開位置Ｐ２への移行を引き起こすのは、保護カバー３０の閉止であると想定されうることに留意されたい。
【０１３２】
最後に、図２に示すとおり、保護カバー３０には、前面にほぼ平坦な上部０ａが備わっていることに留意されたい。この部分は、目に見えている。次に、拡散器本体２０に付属の芳香族製品Ａに関する情報の表示を可能にするマーキング領域が用意されている。
【０１３３】
或いは、拡散器本体２００の上蓋２０１ａの上部が目に見えるようにする透明部分を備えた前面（ファサード）を設けることができる。
【０１３４】
したがって、本発明により、ユーザーが利用でき、かつ水流中に拡散させる芳香族製品を含有し着脱式で再充填可能な拡散器本体を格納する収納ハウジングを自由に利用できるようにすることで使用しやすくなる、配水回路上に容易に取り付けられる拡散装置１００が存在するおかげで、ユーザーは家庭（又は例えばホテル）での日常的なアロマセラピー体験を享受できるようになる。
【０１３５】
拡散器本体の設計は、場合によっては再充填可能な密閉カプセルの形を取るという点で本発明に特徴的なものであり、その動作原理は、同時に貯蔵と拡散両方の二重構成を備えた装置にある。
【０１３６】
第一の構成では、長期的に気密性が高く耐久性のある貯蔵が確保され、芳香族製品を格納して水流とのあらゆる接触を回避できるようになるが、第二の構成では、前記芳香族製品の水流との接触が確保され、水流中への製品の注入と拡散を行える。
【０１３７】
互いに接合されたこの中空管系統のおかげで、拡散器本体の設計により、単に圧力を加えるだけである構成から別の構成への移行が確実になる。
【０１３８】
したがって、ユーザーがこうしたアロマセラピー体験を得るには、そのカプセル又は拡散器本体２００を拡散装置１００内に配置し、構成Ｐ１から別の構成Ｐ２への移行を作動させるだけで十分である。
【０１３９】
この詳細な説明は本発明の特定の実施例に関するものであるが、どの場合でも、この説明は決して本発明の目的にいかなる限定的な特性をも課すものではないこと、それどころか、本説明は、下記請求項のあらゆる偶発的な不正確又は誤解の可能性を取り除くためのものである点に留意すべきである。
【０１４０】
また、以下の特許請求の範囲での括弧内に付記された参照記号は、決して限定的な特性を帯びているわけではなく、これらの記号の目的とは唯一、以下の特許請求の範囲の分かりやすさと理解、並びに求められる保護の範囲を改善することである点にも注意すべきである。
【符号の説明】
【０１４１】
１０  本体
１０ａ  入口
１０ｂ  出口
１０ｃ  水路
１１  収納ハウジング
１２  第１組立手段
１３  第２組立手段
２０  浄化フィルター
２０ａ  内周壁
２０ｂ  外周壁
２０ｃ  ボリューム（容量）
２０ｄ  中心部
２０ｅ  上部外周クラウン
２２  貫通孔
２３、２４  開口部
３０  保護カバー
１００  拡散装置
２００  拡散器本体
２０１、２０２  チューブ
２０１ａ  上蓋
２０２ａ  底部
２０３  容器
２０４、２０５  貫通窓
２１０  位置維持手段
２１１  溝
２１２  ビード
Ａ  芳香族製品
Ｆ  水流
Ｐ１  閉位置
Ｐ２  開位置
【図１】
2021519877.tif 000003
【図２】
2021519877.tif 000004
【図３】
2021519877.tif 000005
【図４Ａ】
2021519877.tif 000006
【図４Ｂ】
2021519877.tif 000007
【図５Ａ】
2021519877.tif 000008
【図５Ｂ】
2021519877.tif 000009
【国際調査報告】
2021519877.tif 000010
2021519877.tif 000011
2021519877.tif 000012
2021519877.tif 000013